(57)【特許請求の範囲】
【請求項１】
ａ）水環境への露出によって活性化される乾電池を備え、前記乾電池は、触媒としての金表面を有する少なくとも１つの金電極と、１つのマグネシウム電極とを含み、さらに、
ｂ）前記乾電池に電気的に結合され、かつ前記水環境にある前記乾電池によって電力を供給される光源と、
ｃ）前記水環境にある前記光源の出力を制御するための、前記乾電池および前記光源に電気的に結合された制御回路と、
を備えた、装置。
【請求項２】
ａ）水環境への露出によって活性化される乾電池を備え、前記乾電池は少なくとも１つの金電極と１つのマグネシウム電極とを含み、さらに、
ｂ）前記乾電池に電気的に結合され、かつ前記水環境にある前記乾電池によって電力を供給される光源と、
ｃ）前記水環境にある前記光源の出力を制御するための、前記乾電池および前記光源に電気的に結合された制御回路と、
を備え、
前記制御回路は、パルス周波数変調またはパルス幅変調切替を用いて前記光源に適用される前記電力を規制するための電圧変換アプリケーション仕様集積回路を含む、装置。
【請求項３】
ａ）水環境への露出によって活性化される乾電池を備え、前記乾電池は少なくとも１つの金電極と１つのマグネシウム電極とを含み、さらに、
ｂ）前記乾電池に電気的に結合され、かつ前記水環境にある前記乾電池によって電力を供給される光源と、
ｃ）前記水環境にある前記光源の出力を制御するための、前記乾電池および前記光源に電気的に結合された制御回路と、
水生命体をシミュレートしたハウジングとを備え、
前記装置は前記ハウジングを取り外し可能に結合するように構成される、装置。
【請求項４】
ａ）電磁気モジュールを備え、電磁気モジュールは、
ｉ）第１の電極と第２の電極とを持つ乾電池を備え、前記第１の電極および第２の電極のうち少なくとも１つは蛍光材料を持つ表面を含み、前記第１の電極はマグネシウムを備え、前記第２の電極は触媒としての金表面を有する金電極を備え、さらに、
ｉｉ）前記乾電池からの出力電圧を制御するための制御回路と、
ｉｉｉ）前記制御回路を通じて前記乾電池へ電気的に結合された光源とを備え、前記乾電池は前記第１および前記第２の電極の一部がイオンを含む前記水環境に浸された時に前記光源にエネルギを与え、さらに、
ｂ）前記電磁気モジュールを保持し、かつそこからの前記光源から生じた光を出射するための１つまたはそれより多くのハウジング構造と、
を備えた、装置。
【請求項５】
前記電極の一部、前記制御回路および前記光源は半透明の筐体の中にシールされる、請求項４の装置。
【請求項６】
前記アノードは前記乾電池から取外し可能である、請求項４の装置。
【請求項７】
前記制御回路は前記光源からパルス光を生じるように構成される、請求項４の装置。
【請求項８】
前記制御回路は、前記光源が前記パルス光を生じるパルスレートの選択用に設定されたアプリケーション仕様回路を含む、請求項７の装置。
【請求項９】
前記１つまたはそれより多くのハウジング構造は水生命体として作られ、気体を放出するホール、アパーチャ、またはベントを含む、請求項４の装置。
【請求項１０】
前記光源は１つまたはそれより多くの発光ダイオードを含む、請求項４の装置。
【請求項１１】
前記光源は少なくとも１つの発光ダイオードを含む、請求項１〜１０のいずれかの装置。
【請求項１２】
前記制御回路は、前記水環境における前記光源の前記出力を選択するための出力アプリケーション仕様集積回路を含む、請求項１〜１１のいずれかの装置。
【請求項１３】
前記金電極は蛍光塗料を含む、請求項１〜１２のいずれかの装置。
【請求項１４】
前記モジュールからの前記光源の出力を変調するための少なくとも１つの光学変調器を含み、前記光学変調器は１つまたはそれより多くの反射体、散乱体、およびレンズを備える、請求項１〜１３のいずれかの装置。
【請求項１５】
水に関する装置を製造する方法であって、
ａ）光源に電気的に結合され、かつ前記光源と、水環境の中に磁場（Ｈ）を発生するためのインダクタとを制御するように構成された制御回路を形成することと、
ｂ）複数の電極を持つ乾電池を前記制御回路に電気的に結合することとを備え、前記乾電池は、複数の電極の少なくとも一部が触媒としての金表面を有し、かつ複数の電極の少なくとも一部が前記水環境と接触した状態で、前記制御回路を通じて前記光源に電力を供給し、前記水環境の中に電場（Ｅ）を発生するように構成され、前記方法はさらに、
ｃ）前記制御回路および前記光源を半透明の防水筐体に入れ、それによって電磁気モジュールを形成することと、
を備えた、方法。
【請求項１６】
水生命体を表す複数のハウジング構造を形成することをさらに備え、複数のハウジング構造の各々は前記電磁気モジュールに取り替え可能に結合されるように構成された、請求項１５の方法。
【請求項１７】
前記制御回路は前記光源からの光をパルス状にするように構成された、請求項１６の方法。
【請求項１８】
前記制御回路は前記光源からパルス状とされた前記光の振動数を選択するためのユーザインタフェースを含む、請求項１６に記載の方法。
【請求項１９】
ａ）水環境への露出によって活性化され、かつ前記水環境において電場（Ｅ）を生じ、かつ触媒としての金表面を有する乾電池と、
ｂ）前記乾電池に電気的に結合され、かつ前記水環境において前記乾電池によって電力を供給された光源と、
ｃ）前記乾電池および前記光源に電気的に結合され、かつ前記光源の出力を制御するための、インダクタを持つ制御回路とを備え、前記水環境において前記インダクタは磁場（Ｈ）を生じさせ、さらに、
ｄ）光源および前記制御回路を入れる半透明の防水筐体
を備えた、装置。
【請求項２０】
前記乾電池は、前記水環境の中にさらに気体を発生させる、請求項１９に記載の装置。
【請求項２１】
ａ）水環境への露出によって活性化され、かつ触媒としての金表面を有する乾電池と、
ｂ）前記乾電池に電気的に結合され、かつ前記水環境にある前記乾電池によって電力を供給される光源と、
ｃ）前記水環境にある前記光源の出力を制御するための、前記乾電池および前記光源に電気的に結合された制御回路と、
ｄ）前記水環境の中の光源の出力を選択するためのユーザインタフェースと、
を備えた、装置。
【請求項２２】
前記乾電池は、前記水環境の中に気体を発生させる、請求項２１に記載の装置。
【発明の詳細な説明】
【技術分野】
【０００３】
関連出願および付与された特許
この現在の出願は、２０１０年５月２５日に、米国特許第７，７２２，２１８号の下で、参照することにより特許を付与されたものである。
発明の分野
【０００４】
この発明は、水用品に関連する。より特定的には、本発明は海の生物を引きつけるための水用品に関連する。
【背景技術】
【０００５】
発明の背景
【０００６】
早くも１９１７年には、科学的な研究によって、魚を含む海生物がそれらの水環境の中で発生された電磁場および光に反応することが発見された。科学者は、水槽中の水に電磁場を印加した時に、水槽の中のナマズが直ちに反応を示すことを示し続けている。１９５０年代までに１００もの魚類が電磁場への反応の程度によって分類され、順位化された。
【０００７】
他の魚によって発生された電磁的なインパルスを多くの魚が感知できるということがさらに発見された。実際、サメ、サケ、チョウザメ、およびサケ科の淡水魚などの魚は、電気受信器として機能する活性な神経細胞を身体に持っており、電磁場を感知し、それらの魚の水環境で動くイオンや荷電粒子などの電磁場の変化を検出できるということが、いくつかの海洋研究によって示された。いくつかの海の生物は、それらの生物の水環境の中で動き、獲物の位置を確認するために、紫外光および／または電磁場を効果的に検出し、監視できるということが、調査によって示された。
【０００８】
多くの海の生命種は、（３２０ｎｍ〜４００ｎｍ）の紫外光スペクトルの中の紫外光を放射する海中の物体を見ることができるまたは検出することができるということが、研究によって示された。これは少なくとも、魚の目の網膜錐体が深海水の暗い背面の滴に対して紫外光を放射する物体に対して敏感であるためである。もう一つの理由は、海の生き物を効果的に引きつけるということは、紫外光が水環境で低い吸収係数を示し、それ故に水環境で遠くの海の生き物が検出できるということであるためである。
【発明の開示】
【課題を解決するための手段】
【０００９】
発明の概要
【００１０】
本発明の装置は、乾電池からの交流電磁場またはパルス電磁場と、乾電池によって電力が供給された光源から生じたパルス光出力とを同時に生じさせるように構成される。装置は、水生生物をシミュレートし、および／または引きつけるために用いられることができる。装置は、たとえばエビ、魚、イカ、タコ、プランクトン、および他の水生生物を引きつけてもよい。装置は、電磁気モジュールとしてここで参照されるものを含む。電磁気モジュールは乾電池を含む。ここでの乾電池は、内蔵された電解質を持たない電池のことを指す。乾電池は雰囲気中に部分的に露出された少なくとも２つの電極を含む。乾電池は、露出された電極の一部が共通の電解質の中に配置された時に電流を生じるように構成される。乾電池は、好ましくは露出された電極の一部が海または海洋のような共通の水環境に配置された時に電流を生じるように構成される。電極は任意の好適な材料から形成される。電極は、好ましくはマグネシウムアノードと触媒としての金カソードとを含む。この発明の一実施例に従うと、１つまたはそれよりも多くの電極は交換可能に構成される。
【００１１】
本発明の装置は光源をさらに含み、光源は、乾電池に電気的に接続され、かつ露出された電極の一部が共通の水環境（電解質）の中に配置された時に乾電池によって電力を供給されるように構成される。光源は、好ましくは、緑、青、または白、またはこれらの組み合わせの色を発光する１つまたはそれより多くの発光ダイオードを含む。
【００１２】
装置はまた、乾電池および光源に電気的に結合された制御回路を含む。制御回路は、電池からの電流と光源からの光出力とを制御するためのいくつかの数のアプリケーション仕様集積回路を含むことができる。制御回路は好ましくは、パルス電磁場と、光源からのパルス光とを生じるように構成される。
【００１３】
発明の好ましい実施例に従うと、制御回路および光源は、電磁気モジュールを形成するための半透明の防水筐体内にシールされる。電磁気モジュールは好ましくは、水生生物をシミュレートするように作られた１つまたはそれより多くのハウジング構造の中に適合され、および／またはこのハウジング構造に取り付けられるように構成される。ハウジング構造は、たとえばエビ、魚、イカ、およびタコをシミュレートするように、２、３の水生生物を示すように作られる。ハウジング構造および／または電磁気モジュールは、蛍光塗料を含む蛍光材料、蛍光構造、または蛍光ステッカを含むことができる。蛍光材料、蛍光構造、および／または蛍光ステッカは、光源からの光への露出の際に光を放つ。
【００１４】
本発明の装置は、いくつかの数の光学素子を含むことができ、この光学素子は反射体、散乱体、およびレンズを含むが、これらのものに限定されない。装置はまた、光が光源からパルス状とされるパルスレートを含む装置の動作モードをユーザが選択できるようにするためのユーザインタフェースを含むことができる。
【図面の簡単な説明】
【００１５】
【図１】発明の実施例に従う、電磁気モジュールを持つ装置の概略図である。
【図２Ａ】発明の好ましい実施例に従う電磁気モジュールを説明するための図である。
【図２Ｂ】発明の好ましい実施例に従う電磁気モジュールを説明するための図である。
【図３】発明の実施例に従う、電磁気モジュールを持つフィッシングルア３００を示す図である。
【図４】発明の実施例に従う、水生生物を描写するように作られたハウジング構造またはジャケットに結合するように構成された電磁気モジュールを持つ装置の分解図である。
【図５】発明の実施例に従う、水生生物を描写するように作られたハウジング構造またはジャケットに結合するように構成された電磁気モジュールを持つ装置の分解図である。
【図６】発明の実施例に従う、水生生物を描写するように作られたハウジング構造またはジャケットに結合するように構成された電磁気モジュールを持つ装置の分解図である。
【図７】発明の実施例に従う、水環境に浸された電磁気モジュールによって生じたＨ2ガス、磁場および電場を説明するための図である。
【図８】発明の実施例に従う、ホール、スロット、またはベントを持つハウジング構造またはジャケットを通って電磁気モジュールへまたは電磁気モジュールから移動するイオンおよびＨ2ガスを説明するための断面図である。
【図９】発明の実施例に従う、水環境に浸された反射電極を持つ電磁気モジュール（図２Ｂ）の側面断面図である。
【図１０】発明の実施例に従う、電磁気モジュールからの電圧出力および光出力を制御するために用いられる制御回路の概略図である。
【図１１】発明の実施例に従う、乾電池からの電力を動作電圧に変換するための第１のアプリケーション仕様集積回路（ＡＳＩＣ１）を示す図である。
【図１２】発明の実施例に従う、発光ダイオードからパルス状の出力を生じさせるための第２のアプリケーション仕様集積回路（ＡＳＩＣ２）を示す図である。
【図１３Ａ】発明の実施例に従う、取外し可能な電極を持つ電磁気モジュールを説明するための断面図である。
【図１３Ｂ】発明の実施例に従う、取外し可能な電極を持つ電磁気モジュールを説明するための断面図である。
【発明を実施するための最良の形態】
【００１６】
発明の詳細な記述
【００１７】
図１および図７を参照して、本発明は、水生生物をシミュレートし、および／または引きつけるための装置１００に向けられる。装置１００は、ここでは電磁気モジュール２００として参照されるものを含む。電磁気モジュール２００は乾電池１０５を含む。乾電池１０５はここでは、内蔵された電解質を持たない電池を示す。乾電池１０５は、部分的に雰囲気に露出された少なくとも２つの電極１０６、５および１０７、６を含む。乾電池１０５は、露出された電極１０６、５および１０７、６の一部が共通の電解質の中に配置された時に電流ｅ-を生じるように構成される。乾電池１０５は、好ましくは、露出された電極１０６、５および１０７、６の一部が海洋のような共通の水環境の中に配置された時に電流ｅ-を生じるように構成される。電極１０６、５および１０７、６は、好ましくは、マグネシウムおよび金を備える、なぜならばこれらの金属は環境に優しいからである。
【００１８】
たとえば、乾電池１０５はマグネシウムアノード１０６、５と金カソード１０７、６とを含むことができる。電解質としての海水は、Ｈ+、ＯＨ-、Ｎａ+、Ｃｌ-のイオンと、Ｈ2Ｏとを含む。乾電池１０５のマグネシウムアノード１０６、５および金カソード１０７、６が、全体的にまたは部分的に海水に浸された時、マグネシウムアノード１０６、５は以下の半反応式に従って酸化し、マグネシウムイオンを形成する。
【００１９】
Ｍｇ（固体）→Ｍｇ2+（イオン）＋２ｅ-＋電気エネルギ（Ｅ＝２．３８Ｖ）
【００２０】
同時に、海水からのＨ+イオンは金電極１０７、６表面に移動し、そこでＨ+イオンは以下の半反応式により還元され、Ｈ2の気体（ｇａｓ（ガス））が発生する。
【００２１】
触媒としてのＡｕ表面
【００２２】
２Ｈ+（イオン）＋２ｅ-→Ｈ2（気体）電気エネルギ（Ｅ＝０．００）
【００２３】
金（Ａｕ）は本発明の実施の形態に従う乾電池１０５のための触媒の典型例の１つである。金電極は、連続的な半反応を維持するための抗酸化性表面および優れた導電性の表面を提供するだけでなく、Ｈ+イオンを水素（Ｈ）原子へ還元する活性エネルギを低くするための触媒表面をも提供する。これらの水素（Ｈ）原子が発生してＡｕ表面に吸着するとき、金原子はこれらの水素（Ｈ）原子をさらに活性化し、これらの水素（Ｈ）原子に触媒作用を及ぼして、触媒金表面に多数の水素分子および（Ｈ2）ガスを形成する。
固体マグネシウムアノード１０６、５と金カソード１０７、６との間における電場のポテンシャル差は、約２．３８Ｖである。乾電池１０５の実際のポテンシャル差は、マグネシウムアノード１０６、５、および金カソード１０７の表面抵抗と同様に、温度、イオン濃度、酸素含有量、および海水純度を含む様々な要因に依存する。たとえば、塩水中の実際のＭｇ−Ａｕ乾電池の名目上の電圧は約１．２Ｖである。
【００２４】
さらに図１を参照して、本発明の装置１００はまた、制御回路１０３を通じて乾電池１０５に電気的に結合される光源１０１を含み、制御回路１０３は好ましくは集積回路である。光源１０１は、露出された電極１０６および１０７が共通の水環境の中に配置された時に、乾電池１０５によって電力が供給されるように構成される。光源１０１は好ましくは１つまたはそれより多くの発光ダイオードを含む。
【００２５】
実際のマグネシウム／金塩水電池の名目上の電圧は約１．２Ｖであり、この電圧は発光ダイオードからの連続した光出力を制御し維持するために必要とされる電圧をはるかに下回るので、本発明は、制御回路１０３が乾電池１０５によって供給される電力出力を制御し、かつ光源１０１からの光出力と乾電池１０５から生じる磁場および電場とをパルス状に制御するような回路設計を含む。
【００２６】
具体的には、制御回路１０３は第１のアプリケーション仕様集積回路９０１（図１０）を含む。第１のアプリケーション仕様集積回路（ＡＳＩＣ１）９０１は、乾電池１０５からの電力を動作電圧ＶDDへ変換し、動作電圧ＶDDは第２のアプリケーション仕様集積回路９０３（ＡＳＩＣ２）（図１２）の電力を供給し、かつ発光ダイオードをパルス状に発光させる。第１のアプリケーション仕様集積回路９０１は、インダクタ３（図１０）を用いることによって、切替電圧パルス（Ｌｘ）と交流電磁場（図１０）の一部との両方を生じさせる。
【００２７】
動作時には、乾電池１０５からの電圧は第１のアプリケーション仕様集積回路９０１に印加される。第１のアプリケーション仕様集積回路９０１は、パルス周波数変調またはパルス幅変調切替技術と、負帰還ルーピング処理とを利用し、負帰還ルーピング処理は、ＶDDによって生じた出力電圧を制御して、発光ダイオード光源に電力を供給するのに適した値まで効率的に上昇させるのに十分な負荷サイクルを持つ。本発明のアプリケーション仕様集積回路９０１は、乾電池１０５からの２５０ｍＶの入力電圧から３Ｖ以上の出力電圧ＶＤＤを生じるように電圧を変換可能である。
【００２８】
電磁気モジュール２００の制御回路１０３および光源１０１は、好ましくは、透明なプラスチックを用いた射出成形金型の処理によって、または密閉される部材にプラスチック樹脂を注ぐことによって、半透明の筐体９（図２Ａ〜図２Ｂ）の中に密閉される。
【００２９】
図１、図２Ａ、図２Ｂ、図４、図５、図６、および図８を参照して、本発明の装置１００は、１つまたはそれより多くのジャケットまたはハウジング構造１０９をさらに含み、ジャケットまたはハウジング構造１０９は、２、３の生命体を示すために、たとえばエビ、魚、イカ、およびタコのような水生生物に見えるまたはこれらをシミュレートするように作られる。ジャケットまたはハウジング構造１０９および／または電磁気モジュール２００は、上および下で述べられるように、光源または他の光源からの光への露出の際に輝く、蛍光材料、蛍光構造、ステッカ、または塗料を含むことができる。電極５および６が水に露出されるようにするために、および／または、光、交流電界（Ｅ）、水素ガス（Ｈ2）、およびイオンがジャケットまたはハウジング構造１０９から流出できるようにするために、電磁気モジュール２００がジャケットまたハウジング構造１０９に入れられる場所で、ジャケットまたはハウジング構造１０９は、好ましくは、ホール１１１，１１１’、１１１”、１７、および１８（図８）を含む。また、電磁気モジュール２００および／またはジャケットまたはハウジング構造１０９は、装置１００が釣り用具と結合でき、かつフィッシングルアとして用いることができるように、いくつかの数のホール、ループ、フック、ヒンジ、またはこれらのようなものを備えることができる。
【００３０】
図２Ａおよび図２Ｂは、発明の好ましい実施例に従う電磁気モジュール２００を示す。ここおよび本明細書全体では、同様の構造的特徴を示すために同じ参照番号が用いられる。電磁気モジュール２００はマグネシウムアノード５および金カソード６を含む。電磁気モジュール２００はまた、電力接点７とインダクタ３とを持つ制御回路１０３を含む。制御回路１０３は、上および下で述べられるような、パルス状の電磁場と発光ダイオードからのパルス光出力とを生じるために、いくつかの数のアプリケーション仕様集積回路２および２’を含む。マグネシウムアノード５は１つまたはそれより多い接点１３を通じて制御回路１０３に電気的に結合され、金カソード６は金属ハンダつめ８および金属小穴１２を通じて制御回路１０３に電気的に結合される。制御回路１０３および発光ダイオード４は、好ましくは、半透明の防水筐体９の中に入れられる。金カソード６は、水生生物を表すように作られた釣り道具またはハウジング構造に電磁気モジュール２００を結合させることができるホール１０および１０’を含むことができる。発明の実施例に従う金カソード６は、発光ダイオード４から出射される光が不足した場合に輝く蛍光塗料１４を含む。電磁気モジュール２００はまた、金カソード６を通るいくつかの数の穴１１を含むことができ、これらの穴１１はその形成の間に筐体９が金カソード６と接合するのを助け、耐圧筐体９を形成するのを助ける。
【００３１】
図３は、発明の一実施例に従う、電磁気モジュール２００を持つフィッシングルア３００を示す。フィッシングルア３００は、上で述べられたように、制御回路１０３、インダクタ３、および発光ダイオード４を持つ電磁気モジュール２００を含む。モジュール２００はまた、マグネシウムアノード５と金カソード６’とを含む。発明の本実施例に従う金カソード６’は魚のような形である。金カソード６’は蛍光塗料１４の領域または区域を含み、好ましくはフィッシングルア３００が他の釣り道具と結合できるようなホール１０、１０’、および１０”を有する。
【００３２】
図４は、上で述べられたような、楕円形の電磁気モジュール２００を持つ装置を示す。装置は電磁気モジュール２００にクリップまたはスナップ方式で留められたケージ１９をさらに含む。装置はまた、取り替え可能なルアジャケットまたはハウジング構造４３、９’（図８）、４３’（図５）、または６３（図６）を含む。取り付けられた電磁気モジュール２００を持つケージ１９は、ルアジャケットまたはハウジング構造４３の隙間空洞４１に収まり、イカに似たまたはイカを表した有効なフィッシングルア４５を形成する。隙間空洞４１は、モジュール２００内部で発生された水素ガス（Ｈ2）を包み込んで捕獲する。ルアジャケットまたはハウジング構造４３は、好ましくは半透明であり、および／または、装置の動作時に装置から光、交流電界（Ｅ）、水素ガス（Ｈ2）が漏れることを可能にする隙間またはホール１７、１８を含む。ホール１７、１８はまた、装置の動作時にイオンおよび水が装置へ流入しかつ装置から流出することを実現する必要がある。
【００３３】
図５は、上で述べられたような電磁気モジュール２００を持つ装置を示す。装置は、電磁気モジュール２００にクリップまたはスナップ方式で留められたケージ１９’をさらに含む。装置はまた、取り替え可能なルアジャケットおよび／またはハウジング構造４３’を含む。取り付けられた電磁気モジュール２００を持つケージ１９’は、ルアジャケットおよび／またはハウジング構造４３’の隙間４１’に収まり、エビに似たまたはエビを表した有効なフィッシングルア４５’を形成する。ルアジャケットおよび／またはハウジング構造４３’は、好ましくは半透明であり、および／または装置の動作時に装置からの光、交流電界（Ｅ）、水素ガス（Ｈ2）の漏れを可能にする隙間またはホールを含む。ホールはまた、装置の動作時にイオンおよび水が装置へ流入しかつ装置から流出することを実現する必要がある。
【００３４】
図６は、上で述べられたような電磁気モジュール２００を持つ装置を示す。装置は、空洞６１と、ヒンジで動くようにされたドア６４とを持つハウジング構造６３をさらに含む。動作時には、電磁気モジュール２００は空洞６１に収まり、ヒンジで動くようにされたドア６４は矢印６９で示されたように閉じられる。次にヒンジで動くようにされたドア６４は、矢印６８で示されたように固定機構６７を動かすことによって閉じた位置に固定され、小魚または雑魚に似たまたは小魚または雑魚を表した有効なフィッシングルア６５を形成する。ハウジング構造６３はまた、フィッシングルア６５を釣り道具に取り付けるためのリング、ループ、またはフック６６および６６’を持つように作られることができる。ハウジング構造６３は半透明であり、好ましくは、光、交流電界（Ｅ）、水素ガス（Ｈ2）を漏れさせ、かつ水およびイオンを装置へ流入させかつ装置から流出させるためのホール、スロット、またはベントを持つ。
【００３５】
図７は、海水中の電磁気モジュール２００の説明であり、本発明の原理に従う、電磁気モジュール２００のインダクタ３の周りのＨ2ガスの気泡（図面に示されている）および磁場（Ｈ）７０１の発生と、電極５と電極６との間のミクロの電場（Ｅ）７０３の発生とを示している。
【００３６】
図７に示された塩水浸水中のマグネシウムアノード５と金カソード６との電気化学反応のために、装置のアノードの表面とカソードの表面との間の動的電場（Ｅ）および電圧の違いもまた連続的に形成され、発散される。取り囲んでいる海中の魚および海洋生物は、図示されているように、交流電磁場の強度、信号、および光を感知することができる。
【００３７】
発生される磁場（Ｈ）７０１および電場（Ｅ）７０３の場の強度は、ＡＳＩＣ１（図１２）、ＡＳＩＣ２（図１２）、およびＬＥＤ４の全電流消費量に直接比例する。マグネシウムアノードの溶解速度およびインダクタ（３）を通る電流ｅ-は、電流の変化速度およびＬＥＤ４の光点滅振動数と同期する。ＬＥＤ４の光が点滅し、かつＬＥＤ４の光が頻繁に変化するまたは強烈に輝く時、ＥＭ場の場の強さおよび振動数の変化は比例するように応答する。
【００３８】
図８は、海水中の半透明の防水筐体を持つ電磁気モジュール２００を説明するための断面図である。図８は、ホール（穴）、スロット（溝）、またはベント（通気口）１７および１８を持つ半透明のハウジング構造および／またはジャケット９’の中へまたはこれらの中からのイオンの移動を示す。イオンは海水によって自然に供給されるとともに、電極５および６からまたは電極５および６において発生される。本発明の図７に示す実施の形態に従って、モジュール２００によって発生されたＨ2ガスは、ハウジング構造９’の空洞の内部に集められて包み込まれる。Ｈ2ガスは、最後にはハウジング構造９’のスロットおよび／またはホール１７および１８から漏れる。
【００３９】
図９は、上で詳細に述べたような、インダクタ３、発光ダイオード４、および電極５および６を持つ、水環境に浸された電磁気モジュール２００（図２Ｂ）の側面断面図である。電極６は、発光ダイオード４によって出射される光を反射する、１つまたはそれより多くの平らな反射表面２６を有する。ここで留意すべきは、発光ダイオード４から出射される光ビームの一部は、半透明の防水筐体９を通じて出射される前に、光透過性の凸表面で数回内部反射されることができる。一方、図示するように、光ビームの一部は半透明の筐体９の光透過性の凸表面で直接屈折される。このようにして、電極６の平らな反射表面２６および半透明の防水筐体９の凸表面は光学散乱体として動作し、図示するように、電磁気モジュール２００の右側および左側から横方向に出射される散乱光を生じる。
【００４０】
図１０は、発明の実施例に従う電磁気モジュール２００からの電圧出力および電磁気モジュールから出る光を制御するために用いられる制御回路１０３の概略図である。動作時には、乾電池１０５からのソース電流ｅ-がインダクタ３を通り抜け、第１のアプリケーション仕様集積回路（ＡＳＩＣ１）９０１の内部ＭＯＳＦＥＴ１００７（図１１）をオンおよびオフに切り替えることによって瞬間的にＶｓｓに短絡される。ＭＯＳＦＥＴ１００７の切替振動数は、自動切替負荷比で約１００ＫＨｚである。インダクタ３を通り抜ける切替電流は１００ＫＨｚの交流電磁場を生じさせ、この交流電磁場は防水筐体９（図７）を通って伝搬する。アプリケーション仕様集積回路（ＡＳＩＣ１）９０１は、乾電池１０５から制御電圧を生じさせることに主に関与し、インダクタ３から場を生じさせ、第２のアプリケーション仕様集積回路（ＡＳＩＣ２）９０３に電力を供給する。第２のアプリケーション仕様集積回路（ＡＳＩＣ２）９０３の主な関与は、発光ダイオード４を動作させ、パルス状とすることである。本発明の制御回路が、本発明の実施例に従う電磁気モジュール２００の適切な動作に必要とされる抵抗体、コンデンサ９０９、または他の電気部品を任意の数だけ含むことができることは、当業者にとって明らかであろう。
【００４１】
図１１は、発明の実施例に従う、乾電池１０５からの電力を動作電圧に変換するための第１のアプリケーション仕様集積回路（ＡＳＩＣ１）９０１を示す。アプリケーション仕様集積回路（ＡＳＩＣ１）９０１は、負荷比切替の負帰還ループ（ｎｅｇａｔｉｖｅ  ｆｅｅｄｂａｃｋ  ｌｏｏｐ  ｏｆ  ｔｈｅ  ｄｕｔｙ  ｒａｔｉｏ  ｓｗｉｔｃｈ）と、インダクタ３を駆動し、かつ乾電池１０５のエネルギを動作電圧ＶＤＤに変換するための周波数にＭＯＳＦＥＴ１００７を切り替えるための適応ＰＦＭ／ＰＷＭ制御（ａｄａｐｔｉｖｅ  ＰＦＭ／ＰＷＭ  ｃｏｎｔｒｏｌ）とを採用する。
【００４２】
図１２は、発明の実施例に従う、発光ダイオード４からパルス状の出力を生じさせる第２のアプリケーション仕様集積回路（ＡＳＩＣ２）９０３を示す。第２のアプリケーション仕様集積回路（ＡＳＩＣ２）９０３は、シングル点滅、マルチ点滅、フェーディング光、静的な光パターン、または発光ダイオード４で生じた任意の他の好適な光の順番（ｌｉｇｈｔ  ｓｅｑｕｅｎｃｅ）を生じさせるようにプログラムされることができる。発光ダイオード４で生じる光の順番は、第２のアプリケーション仕様集積回路（ＡＳＩＣ２）９０３の論理ＰＲＯＭを通じてプログラムされる。制御回路１０３はまた、ユーザが前もってプログラムされたいくつかの光の順番から選択できるようにするための、および／またはユーザが新しい光の順番をプログラムできるようにするためのユーザインタフェースを含むことができる。パルス光源または発光ダイオード４は、埋め込まれた駆動回路１２１３およびＭＯＳＦＥＴ１２０９によって切り替えられる。第１のアプリケーション仕様集積回路（ＡＳＩＣ１）９０１と第２のアプリケーション仕様集積回路（ＡＳＩＣ２）９０３との間のやりとりは、データピンＥＮ、ヤング（ｄａｔａ  ｐｉｎ  ＥＮ．ｙｏｕｎｇ）によって制御される。
【００４３】
図１３Ａ〜図１３Ｂは、発明のさらなる実施例に従う取外し可能な電極を持つ電磁気モジュール２００を説明するための断面図である。電磁気モジュールは、上で詳細に述べられたように、１つまたはそれより多くのアプリケーション仕様集積回路２および２’と、１つまたはそれより多くの発光ダイオード４と、制御回路１０３と、インダクタ３と、ハンダつめ８と、半透明の防水筐体９とを含む。電磁気モジュールはまた電極を含み、少なくとも１つの電極は取外し可能な電極１４である。取外し可能な電極１４は、その電極が摩耗または腐食した時に置換されるように構成されている。上で述べられたように、電極はマグネシウムアノードと金カソードとを含む場合には、取外し可能な電極１４は好ましくはマグネシウム電極である。取外し可能な電極１４は、電気接点１３を通じて制御回路１０３と電気的な接触をするために、適合したネジ穴１５に取り付けられるネジ構造の形に作られてもよい。
【００４４】
本発明は、発明に構造および動作の原理の理解を促進するために詳細を追加する具体的な実施例の観点から説明された。そのようなものとして、ここでの具体的な実施例の参照およびその詳細は、添付の特許請求の範囲を制限することを意図されたものではない。発明の精神および範囲から逸脱することなく説明のために選択された実施例の中で修正が可能であることは、当業者にとって明らかであろう。
【図１】
0004755723.tif 000002
【図２Ａ】
0004755723.tif 000003
【図２Ｂ】
0004755723.tif 000004
【図３】
0004755723.tif 000005
【図４】
0004755723.tif 000006
【図５】
0004755723.tif 000007
【図６】
0004755723.tif 000008
【図７】
0004755723.tif 000009
【図８】
0004755723.tif 000010
【図９】
0004755723.tif 000011
【図１０】
0004755723.tif 000012
【図１１】
0004755723.tif 000013
【図１２】
0004755723.tif 000014
【図１３Ａ】
0004755723.tif 000015
【図１３Ｂ】
0004755723.tif 000016